【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
ユーザに対してリソースの共有を行う方法であって、
一連の属性、組織情報、ユーザの役割を確立するステップと、
選択された属性、組織情報、ユーザの役割に基づいて複数のリソース共有方針を定義するステップと、
特定のユーザ、リソースまたはデータベースに関する属性情報、組織情報、ユーザの役割情報を受け取るステップと、
前記受け取ったユーザの役割情報、組織情報、属性情報に基づいて、前記ユーザにはどのリソース共有情報が適用可能かを判断するステップと、
前記適用可能なリソース共有方針に基づいて、前記ユーザに対してリソースの共有を行うステップと、
を含むことを特徴とする方法。
【請求項２】
請求項１に記載の方法であって、
前記ユーザの役割は、「はい」と「いいえ」の値を持ち、前記属性は複数の非バイナリ値であることを特徴とする方法。
【請求項３】
請求項２に記載の方法であって、
さらに、現在前記ユーザに割り当てられているリソースを、前記適用可能なリソースアクセス方針に基づいて前記ユーザに割り当てられるはずのリソースのリストと比較し、相違を特定することにより、リソースの照合確認を行うステップを含むことを特徴とする方法。
【請求項４】
請求項３に記載の方法であって、
さらに、照合確認によって検出された前記相違に基づいて、前記ユーザへのリソースの共有または共有解除を行うステップを含むことを特徴とする方法。
【請求項５】
請求項２に記載の方法であって、
さらに、前記ユーザが退職、休職した、または休暇をとった場合に、前記ユーザが割り当てを受けていたリソースの一部または全部について、前記ユーザの共有解除を行うステップを含むことを特徴とする方法。
【請求項６】
請求項２に記載の方法であって、
さらに、共有のタイミングまたはリソースに関するタイミング情報を受け取るステップと、
前記タイミング情報によって指定された特定のタイミングで前記ユーザにリソースの共有を行うステップと、
を含むことを特徴とする方法。
【請求項７】
請求項２に記載の方法であって、
前記属性はユーザ属性とリソース属性であることを特徴とする方法。
【請求項８】
請求項２に記載の方法であって、
さらに、前記ユーザに対し、「ハード」のリソースと「ソフト」のリソースの共有を行うステップを含むことを特徴とする方法。
【請求項９】
請求項２に記載の方法であって、
さらに、前記ユーザに対し、いくつかのリソースのまとまり（バンドル）の共有を行うステップを含むことを特徴とする方法。
【請求項１０】
請求項２に記載の方法であって、
さらに、決定ステートメントを利用して複数のリソース共有方針を定義するステップを含み、これによって無関係なステップを省略することができることを特徴とする方法。
【請求項１１】
請求項２に記載の方法であって、
前記ユーザにリソースの共有を行うステップは、前記リソースの要求をアプリケーションまたは人物に通信するステップを含むことを特徴とする方法。
【請求項１２】
請求項１に記載の方法であって、
さらに、リソースの利用状況に基づいて前記ユーザに対するリソースの共有または共有解除を行うステップを含むことを特徴とする方法。
【請求項１３】
請求項１に記載の方法であって、
さらに、アイデンティティ方針を使って前記ユーザに対するリソースの共有または共有解除を行うステップを含むことを特徴とする方法。
【請求項１４】
請求項１に記載の方法であって、
さらに、パスワード方針を使って前記ユーザに対するリソースの共有または共有解除を行うステップを含むことを特徴とする方法。
【請求項１５】
ユーザに対するリソースの共有を行うシステムであって、
一連の属性、組織情報、ユーザの役割、選択された属性、組織情報、ユーザの役割に基づく複数のリソース共有方針、特定のユーザまたはリソースに関する属性情報とユーザの役割情報を記憶するメモリと、
前記メモリと組織ネットワークに連結されたひとつまたは複数のプロセッサと、
を備え、
前記プロセッサは、
前記記憶されたユーザの役割情報、組織情報、属性情報に基づいて、特定のユーザにどのリソース共有方針が適用可能かを判断し、前記適用可能なリソース共有方針に基づいて、ユーザに対するリソース共有を行うようプログラムされていることを特徴とするシステム。
【請求項１６】
請求項１５に記載のシステムであって、
前記ユーザの役割は「はい」と「いいえ」の値を有し、前記属性は複数の非バイナリ値であることを特徴とするシステム。
【請求項１７】
請求項１６に記載のシステムであって、
前記ひとつまたは複数のプロセッサはさらに、前記ユーザに現在共有されているリソースと、前記適用可能なリソース共有方針に基づいて前記ユーザに割り当てられるはずのリソースリストとを比較し、相違を特定することによってリソースの照合確認を行うようプログラムされていることを特徴とするシステム。
【請求項１８】
請求項１７に記載のシステムであって、
前記ひとつまたは複数のプロセッサはさらに、照合確認によって検出された相違に基づいて、前記ユーザに対するリソースの共有と共有解除を行うようプログラムされていることを特徴とするシステム。
【請求項１９】
請求項１６に記載のシステムであって、
前記ひとつまたは複数のプロセッサはさらに、前記ユーザが退職、停職した、または休暇に入った場合に、前記ユーザに割り当てられているリソースの一部または全部について、前記ユーザへの共有解除を行うようプログラムされていることを特徴とするシステム。
【請求項２０】
請求項１６に記載のシステムであって、
前記ひとつまたは複数のプロセッサはさらに、
共有のタイミングまたはリソースに関するタイミング情報を受け取り、前記タイミング情報により指定された特定のタイミングで前記ユーザへのリソースの共有を行うようプログラムされていることを特徴とするシステム。
【請求項２１】
請求項１６に記載のシステムであって、
前記属性はユーザ属性とリソース属性であることを特徴とするシステム。
【請求項２２】
請求項１６に記載のシステムであって、
前記ユーザには「ハード」のリソースと「ソフト」のリソースの共有が行われることを特徴とするシステム。
【請求項２３】
請求項１６に記載のシステムであって、
前記ユーザにはいくつかのリソースのバンドルの共有が行われることを特徴とするシステム。
【請求項２４】
請求項１６に記載のシステムであって、
決定ステートメントを利用して複数のリソース共有方針を立て、これによって無関係なステップが省略されることを特徴とするシステム。
【請求項２５】
ユーザに対するリソース共有のための方法であって、
一連の属性、組織情報、ユーザの役割を確立するステップと、
選択された属性、組織情報、ユーザの役割に基づいて複数のリソース共有方針を定義するステップと、
特定のユーザ、リソースまたはデータベースに関する属性情報、組織情報およびユーザの役割情報を受け取るステップと、
前記受け取ったユーザの役割情報、組織情報、属性情報に基づいて、どのリソース共有方針が前記ユーザに適用可能かを決定するステップと、
適用可能なリソース共有方針に従って、第三者にその他の情報または許可を求めるステップと、
すべての必要な追加情報または許可が前記第三者から受け取られた場合、前記適用可能なリソース共有方針によって指定されたリソースの前記ユーザへの共有を行うステップと
を含むことを特徴とする方法。
【請求項２６】
請求項２５に記載の方法であって、
属性情報、組織情報、ユーザの役割情報を受け取る前記ステップは、ユーザインタフェースからの入力を受け取るステップであることを特徴とする方法。
【請求項２７】
請求項２５に記載の方法であって、
特定のユーザに関する属性情報、組織情報、ユーザの役割情報を受け取る前記ステップは、社員記録データベースから属性情報とユーザの役割情報を受け取るステップであることを特徴とする方法。
【請求項２８】
請求項２６に記載の方法であって、
第三者に追加情報または許可を求める前記ステップは、
前記第三者に前記ユーザインタフェースへのアクセスを提供するステップと、
前記第三者に対し、どの情報または許可が必要かを示すステップと、
前記追加情報または許可が提供されるまで、前記ユーザに対するリソースの共有を停止するステップと、
を含むことを特徴とする方法。
【請求項２９】
請求項２５に記載の方法であって、
前記第三者に追加情報または許可を求める前記ステップは、
前記適用可能なリソース共有方針に従って、第三者から第一の追加情報または許可を受け取るステップと、
受け取った第一の追加情報または許可と受け取った属性情報、組織情報、ユーザの役割情報に基づいて、他の第三者または前記ユーザに第二の追加情報または許可を求めるステップと、
を含むことを特徴とする方法。